(57)【要約】      （修正有）【課題】発光装置を提供する。【解決手段】本考案の発光装置は、モジュール化された発光装置に用いられ、座体１内に、内凹する容置槽１１を形成し、座体１一側表面は、一つ、或いは、それ以上の嵌置槽１２を貫通し、容置槽１１は、導光体２を水平に設置し、嵌置槽１２は、発光ダイオード３を垂直に嵌入する。発光ダイオード３の照射経路は、前記導光体２の一側辺に対面し、導光体２内に、弧面を有する反光片２１を設置する。発光ダイオード３が導光体２を照射する時、光源は、導光体２一側から進入し、弧面の反光片２１で光線が反射し、即ち、光線が導光体２を経て、導光体２を発光させ、モジュール化の設計を達成し、光源照射、識別、装飾、或いは、指示の効用を有して、使用が便利で、適用性が広く、モジュール共用の目的を達成する。【選択図】図２
0003118254.tif 000002
【実用新案登録請求の範囲】
【請求項１】
発光装置であって、モジュール共用の発光装置で、座体、導光体、及び、発光ダイオードからなり、
前記座体内は、内凹の容置槽を形成し、前記座体一側表面に一つ、或いは、それ以上の嵌置槽を貫通し、
前記導光体は、前記座体の容置槽内に、水平に設置され、
前記発光ダイオードは、前記座体の嵌置槽に垂直に嵌設されて定位し、且つ、前記発光ダイオードの照射経路は、前記導光体の一側辺に対面することを特徴とする発光装置。
【請求項２】
前記座体は、銅、アルミ、銅アルミ合金、或いは、導熱係数が好ましい金属材質からなることを特徴とする請求項１に記載の発光装置。
【請求項３】
前記導光体は、透明、或いは、半透明材質からなることを特徴とする請求項１に記載の発光装置。
【請求項４】
前記導光体内に、更に、反光片を設置し、且つ、前記反光片は、弧面状で、前記導光体と前記反光片は、異なる材質で、一体成型されてなることを特徴とする請求項１に記載の発光装置。
【請求項５】
前記導光体外側に、更に、反光片を貼合し、且つ、前記反光片は、弧面状であることを特徴とする請求項１に記載の発光装置。
【請求項６】
前記導光体外側に、更に、反光材質を印刷し、前記反光材質は、クロム、マグネシウム、或いは、光線を反射する材質からなることを特徴とする請求項１に記載の発光装置。
【請求項７】
前記座体の容置槽の内壁面は、更に、反光材質を印刷し、前記反光材質は、クロム、マグネシウム、或いは、光線を反射する材質からなることを特徴とする請求項１に記載の発光装置。
【請求項８】
前記発光ダイオードは、ベースを有し、前記ベース中央に、凹槽を設置し、前記凹槽に透光マスクを有し、ベース内に、発光チップを収容し、前記ベース一側は、複数の極ピンを延伸し、前記極ピンから遠い一側に、金属フレームを湾接することを特徴とする請求項１に記載の発光装置。
【考案の詳細な説明】
【技術分野】
【０００１】
本考案は、発光装置に関するものであって、特に、モジュール共用の発光装置であって、座体内に、反光片を有する導光体、及び、発光ダイオードを収容し、導光体は、発光ダイオードの光源照射時、光源を、導光体の一側から進入させ、弧面の反光片で光線が反射し、即ち、光線が平行に射出し、使用に便利で、適用性が広く、モジュール共用の目的を達成する発光装置に関するものである。
【背景技術】
【０００２】
電灯の発明は、人類の生活方式を大きく変化させ、今、私達の生活に電灯がないと、夜や天気が悪い時に、全ての作業が停滞する。照明の制限を受けると、建築方式、或いは、生活方式の全てが変わってしまい、人類の発展が停止するほど重要なものである。
【０００３】
現在、市場にある照明設備、例えば、太陽灯、タングステンランプ、或いは、節電ランプなどは、どれも日常生活中に応用されている。しかし、電灯は、光の減衰が早く、電気を消耗し、高熱が発生しやすい、寿命が短い、壊れやすい、回収しにくいなどの欠点があるほか、公知の太陽灯は、青白い色で好ましくない。これは、発光原理によるもので、電子管の二極電子の一秒１２０回の快速流動で、初めと電流が不安定な時、フリッカーが生じやすく、近視の原因である。この問題は、「高周波電子式安定器」を備える電子管により解決できる。高周波電子安定器は、公知の太陽灯の消費電力を２０％減少させるだけでなく、高周波瞬間点燈時、出力する光波が非常に安定しており、ほぼフリッカーがなく、電源電圧の変動や電子管が低温の時も、フリッカーが生じにくく、視力に影響しない。しかし、一般の節電灯と節電灯の安定器は固定式なので、取替え時に、安定器も廃棄しなければならず、太陽灯は、節電ではあるが、水銀が塗布されているので、廃棄後、環境汚染の問題がある。
【特許文献１】実用新案登録第３０７５３５８号
【考案の開示】
【考案が解決しようとする課題】
【０００４】
本考案は、上述の欠点を改善するために、発光装置を提供し、座体内に、反光片を有する導光体、及び、発光ダイオードを収容し、導光体は、発光ダイオードの光源照射時、光源を、導光体の一側から進入させ、弧面の反光片で光線が反射し、即ち、光線が平行に射出し、使用に便利で、適用性が広く、モジュール共用の目的を達成することを目的とする。
【課題を解決するための手段】
【０００５】
上述の課題を解決するために、本考案は以下の特徴を有する発光装置を提供する。
１．請求項１に記載の発光装置は、モジュール共用の発光装置で、座体、導光体、及び、発光ダイオードからなり、前記座体内は、内凹の容置槽を形成し、前記座体一側表面に一つ、或いは、それ以上の嵌置槽を貫通し、前記導光体は、前記座体の容置槽内に、水平に設置され、前記発光ダイオードは、前記座体の嵌置槽に垂直に嵌設されて定位し、且つ、前記発光ダイオードの照射経路は、前記導光体の一側辺に対面することを特徴とする。
２．請求項２に記載の発光装置は、請求項１の場合において、
前記座体は、銅、アルミ、銅アルミ合金、或いは、導熱係数が好ましい金属材質からなることを特徴とする。
３．請求項３に記載の発光装置は、請求項１の場合において、
前記導光体は、透明、或いは、半透明材質からなることを特徴とする。
４．請求項４に記載の発光装置は、請求項１の場合において、
前記導光体内に、更に、反光片を設置し、且つ、前記反光片は、弧面状で、前記導光体と前記反光片は、異なる材質で、一体成型されてなることを特徴とする。
５．請求項５に記載の発光装置は、請求項１の場合において、
前記導光体外側に、更に、反光片を貼合し、且つ、前記反光片は、弧面状であることを特徴とする。
６．請求項６に記載の発光装置は、請求項１の場合において、
前記導光体外側に、更に、反光材質を印刷し、前記反光材質は、クロム、マグネシウム、或いは、光線を反射する材質からなることを特徴とする。
７．請求項７に記載の発光装置は、請求項１の場合において、
前記座体の容置槽の内壁面は、更に、反光材質を印刷し、前記反光材質は、クロム、マグネシウム、或いは、光線を反射する材質からなることを特徴とする。
８．請求項８に記載の発光装置は、請求項１の場合において、
前記発光ダイオードは、ベースを有し、前記ベース中央に、凹槽を設置し、前記凹槽に透光マスクを有し、ベース内に、発光チップを収容し、前記ベース一側は、複数の極ピンを延伸し、前記極ピンから遠い一側に、金属フレームを湾接することを特徴とする。
【考案の効果】
【０００６】
本考案により、モジュール化した発光装置は、一般の灯具、広告塔、展示棚、或いは、バックライトモジュールに応用され、光源照射、識別、装飾、或いは、指示の効用を有して、使用が便利で、適用性が広く、モジュール共用の目的を達成する。
【考案を実施するための最良の形態】
【０００７】
図１〜図５は、本考案の好ましい具体例による立体外観図、立体分解図、及び、側視断面図である。図から分かるように、本考案の発光装置は、座体１、導光体２、及び、発光ダイオード３、からなる。
【０００８】
座体１は、銅、アルミ、銅アルミ合金、或いは、導熱係数がよい金属材質からなり、座体１内に、内凹の容置槽１１を形成すると共に、座体１の一側表面に、一つ、或いは、それ以上の嵌置槽１２を貫通している。
【０００９】
導光体２は、水平に、座体１の容置槽１１内に設置され、導光体２は透明か半透明の材質からなり、導光体内に、更に、反光片２１を設け、且つ、反光片２１は弧面状で、導光体２と反光片２１は、異なる材質から、一体成型によりなる。
【００１０】
発光ダイオード３は、垂直に、座体１の嵌置槽１２に嵌設されて定位し、発光ダイオード３はベース３１を有し、且つ、ベース３１中央に、凹槽３１１を設置する。凹槽３１１は、透光マスク３１２を有し、ベース３１内に、発光チップ３２を収容する。ベース３１の一側は、複数の極ピン３３を延伸し、極ピン３３から離れた一側に、金属フレーム３４を湾折し、且つ、発光ダイオード３の照射経路は、導光体側辺に対面して、光源は、導光体２の一側から射入する。発光ダイオード３の極ピン３３は、所定の回路板と電気的に接続され、極ピン３３と所定の回路板が電気的に接続される方法は、二種の応用方式がある。一つは、極ピン３３を回路板に穿過させる方式（スルーホール）で、極ピン３３と所定の回路板を溶接し、もう一つの方式は、表面実装技術（SMT）により、極ピン３３を所定の回路板表面とパッド溶接するものである。
【００１１】
更に、本考案の座体１、導光体２、及び、発光ダイオード３は、モジュール化の方式で生産され、上述の素子を組み立てる時、導光体２を座体１内凹の容置槽１１内に収容し、更に、発光ダイオード３を垂直に、座体１の嵌置槽１２内に嵌設し、導光体２を発光ダイオード３のベース３１の凹槽３１１内に嵌入して定位させる。発光ダイオード３の金属フレーム３４は、座体１外に露出し、座体１外側に平貼される。この構造設計により、発光ダイオード３が発熱する時、座体１は、熱源を快速に吸収し、散熱させる。発光ダイオード３の極ピン３３は、座体１外に露出し、所定の回路板と電気的接続をなして、本考案のモジュール化の発光装置を完成させる。
【００１２】
上述の反光片２１は、導光体内に一体成型され、発光ダイオード３が発する光線を導光体２に打入した後、更に、弧面を有する反光片２１により、光線反射を生成し、光線の集中、並びに、導光体２に平行に射出して、導光体２全体を発光させる。前述の反光片２１は、導光体２内に限定されず、反光片２１を緊密に、導光体外側に貼合する（図３で示される）か、反光材質２２を導光体２外側に印刷する（図４で示される）のでもよく、反光材質は、クロム、マグネシウム、或いは、光線反射する材質からなる。その目的は、主に、導光体２内の光線に反射生成させ、反光材質２２を座体１の容置槽１１の内壁面に印刷し、光源反射の増益効果を形成する。
【００１３】
この他、上述の発光ダイオード３は、導光体２一側に限定されず、導光体２両側に設置してもよいし、導光体２の一側、或いは、両側上に、一つ、或いは、それ以上の発光ダイオード３を設置してもよく、且つ、発光ダイオード３は、カラーLEDか、異なる色の高輝度発光ダイオードで、導光体２の全体の発光輝度を向上させ、異なる色に変化できる。
【００１４】
図６を参照すると、本考案は、複数の座体１を横向けに配列し、各座体１内に、導光体２を収容し、相隣する座体１間に、発光ダイオード３を設置し、且つ、発光ダイオード３の照射経路は、導光体２の一側に対面し、故に、座体１は、ユーザーのニーズ、或いは、異なる設計により、一つ、或いは、それ以上の導光体を設置できる。
【００１５】
本考案の発光装置は、公知技術の問題店を改善し、公知のランプと比較すると、導光体２、及び、発光ダイオード３を座体１内に設置し、発光ダイオード３の特性により、ランプを温める必要が無く、反応速度が速い、体積が小さい、消耗電力が少ない、汚染が少ない、高輝度である。寿命が長いなどの長所があり、発光ダイオード３を直接、導光体２に向かって照射でき、導光体の反光片２を全体的に発光させて、輝度を向上させる。故に、本考案の発光装置は、一般のランプを代替し、電流の不安定によりフリッカーが生じる問題を考慮する必要が無く、使用時も目を傷めないし、公知技術が、高周波の電子式安定器を使用する問題を解決できる。
【００１６】
本考案は、発光装置がモジュール化する生産方式を重点とし、主に、導光体２、及び発光ダイオード３を、座体１に収容し、使用時、モジュール化した発光装置は、直接、一般の現在使用するランプ、広告塔、展示棚、或いは、バックライトモジュール等に応用でき、光源照射、識別、装飾、或いは、指示の効用を有し、大量、快速に生産でき、加工、組み立てコストを減少させ、使用が便利で、適用性が広く、モジュール共用の目的を達成する。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の実施例の立体外観図である。
【図２】本考案の実施例の立体分解図である。
【図３】本考案のもう一つの実施例の立体分解図である。
【図４】本考案のもう一つの実施例の立体分解図である。
【図５】本考案の実施例の側視断面図である。
【図６】本考案の更にもう一つの実施例の立体分解図である。
【符号の説明】
【００１９】
１    座体
１１  容置槽
１２  嵌置槽
２    導光体
２１  反光片
２２  反光材質
３    発光ダイオード
３１  ベース
３２  発光チップ
３１１  凹槽
３３  極ピン
３１２  透光マスク
３４  金属フレーム
【図１】
0003118254.tif 000003
【図２】
0003118254.tif 000004
【図３】
0003118254.tif 000005
【図４】
0003118254.tif 000006
【図５】
0003118254.tif 000007
【図６】
0003118254.tif 000008